(57)【要約】【課題】    従来、橋などの構造物等に用いられるボルトについて、継続的な振動などの影響でナットに緩みが発生した場合、それが大事故につながる恐れがあるため早急に対処する必要があるが、その一方でボルトの数が多数であり更に直接確認出来ない箇所に用いられていることが多く、現状ではナットの緩みを早期に検知することは困難であり、その原因として、実用性のある適当なセンサがないということを挙げることが出来る。本発明によりナットの緩みを検出する実用性のあるセンサを提供する。【解決手段】  橋などの構造物等に用いられているボルトについて、ナットの緩みによる反時計回りの回転変位が一定値を超えて発生した場合、電気回路の導通を解除することによりナットの緩みを知らせるセンサを特徴とする。【選択図】図１
2017026134.tif 000002
【特許請求の範囲】
【請求項１】
ナットの緩みから生じるナットの反時計回りの回転変位が発生した場合、接点を開放することにより電気的導通を解除してナットの緩みを知らせる構造のナット緩みセンサ
【請求項２】
ナットの緩みから生じるナットの反時計回りの回転変位が発生した場合、断線することにより電気的導通を解除してナットの緩みを知らせる構造のナット緩みセンサ
【発明の詳細な説明】
【技術分野】
【０００１】  この発明は、橋などの構造物等に用いられるボルトについて、ナットの緩みによる反時計回りの回転変位が一定値を超えて発生した場合、電気回路の導通を解除することによりナットの緩みを知らせるセンサに関するものである。
【背景技術】
【０００２】  従来、橋などの構造物等に用いられるボルトについてナットの緩みを検知して電気信号によりナットの緩みを知らせるような実用的なセンサがなかった。
【発明の開示】
【発明が解決しようとする課題】
【０００３】  橋などの構造物等に用いられているボルトについて継続的な振動などの影響でナットに緩みが発生した場合、それが大事故につながる恐れがあるため早急に対処する必要があるが、その一方でボルトの数が多数であり更に直接確認出来ない箇所に用いられていることが多く、現状ではナットの緩みを早期に検知することは困難であり、その原因として、実用性のある適当なセンサがないということを挙げることができる。【０００４】  数多くのボルトについて各々のナットの緩みを検知するにはナット毎にセンサを設置することになり、実用性を考慮すると、安価で設置出来かつ信頼性のあるもので更にナットの緩みを検知した際に何らかの形で発報してナットの緩みを知らせる機能をセンサが持っている必要がある。しかしながらそれらの条件を満たす実用性のあるセンサが見当たらないのが現状であり、本発明は実用性のあるナットの緩みを検知し発報する機能をもつセンサに関するものである。
【課題を解決するための手段】
【０００５】  請求項１に記載の本発明は、磁石（４）が取り付けられているナットキャップ（５）と出力端子（１０）から電線（９）により電気的につながっている左側接点用端子（７）及び右側接点用端子（８）からなるボルトキャップ（６）から構成されるナット緩みセンサである。【０００６】  請求項２に記載の本発明は、端子（１１）が取り付けられているナットキャップ（５）と出力端子（１０）から電線（９）により電気的につながっている左側接点用端子（７）及び右側接点用端子（８）からなるボルトキャップ（６）から構成されるナット緩みセンサである。
【発明の効果】
【０００７】  本発明によるナット緩みセンサは構造物等に用いられているボルトにナットキャップ及びボルトキャップを取り付けるだけでセット完了となるためセンサを取り付ける手間が少なくて済み、また構造が簡易であるため安価でかつ耐久性を兼ね備えた、実用性のあるナットの緩みを検知するセンサであり、本発明品を用いることにより従来困難であったナットの緩みを早期に検知することが可能となる。
【発明を実施するための最良の形態】
【０００８】  以下、請求項１に記載の本発明を実施するための最良の形態について説明する。
構造物等（１）に用いられているボルト（２）に締め付けられているナット（３）に導電性の磁石（４）が取り付けられている絶縁性のナットキャップ（５）をかぶせる。また、出力端子（１０）から電線（９）により電気的につながっている左側接点用端子（７）及び右側接点用端子（８）からなるねじ付きボルトキャップ（６）をボルト（２）の先端にきつく締めつける。【０００９】  ここで、左側接点用端子（７）及び右側接点用端子（８）は磁性体であり、また、磁石（４）は小型かつ強力で電気を通す、例えばニッケルでメッキされたネオジム磁石などを用いる。【００１０】  本発明品をセットする手順として、まずナットキャップ（５）をボルト（２）に通しておき、次にボルトキャップ（６）をボルト（２）先端にねじ込みきつく締めつける。最後にナットキャップ（５）を左側接点用端子（７）が磁石（４）の左側にくっついた際、左側接点用端子（７）につながる電線（９）が軽く張られるような位置関係となるようナット（３）にかぶせる。【００１１】  ボルトキャップ（６）及びナットキャップ（５）を［００１０］段落に示した位置関係となるようセットし、左側接点用端子（７）を磁石（４）の左側にくっつけ、右側接点用端子（８）を磁石（４）の右側にくっつける。
今、ナット（３）はきつく締めつけられた状態で、この時本発明品の位置関係は図１に示したとおりで出力端子間は導通がある状態となっている。【００１２】  ボルト（２）の長期間に及ぶ使用中に、継続的な振動などの影響でナット（３）が緩みナット（３）の半時計回りの回転変位が一定以上発生した場合、図２に示したとおり左側接点用端子（７）につながる電線（９）が出力端子（１０）に引っ掛かり、ナット（３）の回転変位に追随しきれず磁石（４）から離れ、この時出力端子間は導通がない状態となる。【００１３】  以上より、本発明品の出力端子（１０）の導通状態を確認することにより導通がなくなった場合にはナット（３）に緩みが生じ、反時計方向に一定以上の回転変位が発生したものと推測することが出来る。【００１４】  本発明品は接点に磁石を利用しているためリセットが可能であり、実動作試験などをすることが可能な構造となっている。【００１５】  以下、請求項２に記載の本発明を実施するための最良の形態について説明する。
構造物等（１）に用いられているボルト（２）に締め付けられているナット（３）に端子（１１）が取り付けられている絶縁性のナットキャップ（５）をかぶせる。また、出力端子（１０）から電線（９）により電気的につながっている左側接点用端子（７）及び右側接点用端子（８）からなるねじ付きボルトキャップ（６）をボルト（２）の先端にきつく締めつける。【００１６】  本発明品をセットする手順として、まずナットキャップ（５）をボルト（２）に通しておき、次にボルトキャップ（６）をボルト（２）先端にねじ込みきつく締めつける。最後にナットキャップ（５）を左側接点用端子（７）が端子（１１）に接続された際、左側接点用端子（７）につながる電線（９）が軽く張られるような位置関係となるようナット（３）にかぶせる。【００１７】  ボルトキャップ（６）及びナットキャップ（５）を［００１６］段落に示した位置関係となるようセットし、左側接点用端子（７）及び右側接点用端子（８）を端子（１１）に接続する。
今、ナット（３）はきつく締めつけられた状態で、この時本発明品の位置関係は図３に示したとおりで出力端子間は導通がある状態となっている。【００１８】  ボルト（２）の長期間に及ぶ使用中に、継続的な振動などの影響でナット（３）が緩みナット（３）の半時計回りの回転変位が一定以上発生した場合、図４に示したとおり左側接点用端子（７）につながる電線（９）が出力端子（１０）に引っ掛かり、ナット（３）の回転変位に追随しきれず断線し、この時出力端子間は導通がない状態となる。【００１９】  以上より、本発明品の出力端子（１０）の導通状態を確認することにより導通がなくなった場合にはナット（３）に緩みが生じ、反時計方向に一定以上の回転変位が発生したものと推測することが出来る。【００２０】  各々のボルトに本発明品を取り付け、各出力端子を直列又は並列につなぐことにより一括してナットの緩みを監視することが可能となる。
例えば、橋に用いられているボルトについて監視しようとした場合、道路照明から配線を引き出し、本発明品の出力端子を直列に接続することが想定される。どれか一つでもナットが緩んだ場合、照明器具からみた配線の導通がなくなり、その場合には、照明のパターンを変えて異常を知らせるなどの方法が考えられる。
【図面の簡単な説明】
【００２１】
【図１】  請求項１に記載の本発明の鳥瞰図である。
【図２】  請求項１に記載の本発明の鳥瞰図である。
【図３】  請求項２に記載の本発明の鳥瞰図である。
【図４】  請求項２に記載の本発明の鳥瞰図である。
【符号の説明】
【００２２】１    構造物等
２    ボルト
３    ナット
４    磁石
５    ナットキャップ
６    ボルトキャップ
７    左側接点用端子
８    右側接点用端子
９    電線
１０  出力端子
１１  端子
【図１】
2017026134.tif 000003
【図２】
2017026134.tif 000004
【図３】
2017026134.tif 000005
【図４】
2017026134.tif 000006